(57)【要約】【課題】  トラフィックを低減させ、通信コストの低減を図ることができる画像形成装置を提供する。【解決手段】  ネットワーク機能を有する画像形成装置において、着呼要求に対して発呼元に転送先を指示し、発呼元から直接転送先に送信させるよう制御する制御手段２を備えた。【選択図】        図１
2006229714.tif 000002
【特許請求の範囲】
【請求項１】
ネットワーク機能を有する画像形成装置において、着呼要求に対して発呼元に転送先を指示し、発呼元から直接転送先に送信させるよう制御する制御手段を備えたことを特徴とする画像形成装置。
【請求項２】
請求項１に記載の画像形成装置において、発呼元毎に転送先を設定する設定手段を備えたことを特徴とする画像形成装置。
【請求項３】
請求項１に記載の画像形成装置において、着呼宛先毎に転送先を設定する設定手段を備えたことを特徴とする画像形成装置。
【請求項４】
請求項１に記載の画像形成装置において、前記制御手段は、受信不可能な状態の時に代替受信先に転送指示する制御を行うことを特徴とする画像形成装置。
【発明の詳細な説明】
【技術分野】
【０００１】
本発明は、ネットワーク機能を持つ、プリンタ、ファクシミリ、複写機、各機能を併せ持つデジタル複合機などの画像形成装置に関する。
【背景技術】
【０００２】
近年、ＶｏＩＰ技術によるＩＰ網を利用してのＩＰ電話通信やＩＴＵ−Ｔ勧告Ｔ．３８に準拠したＩＰファクシミリ通信が普及しつつある。また、ＩＰ電話通信やＩＰファクシミリ通信の呼接続プロトコルには、Ｈ．３２３とＳＩＰ（Session Initiation Protocol）［ＲＦＣ３２６１］が利用されている。
これらの機能を持ち、受信文書を振り分ける技術として、例えば、特許文献１に示された技術が知られている。
【特許文献１】特開２００４−１１２３２８公報
【発明の開示】
【発明が解決しようとする課題】
【０００３】
しかしながら、上記特許文献１に開示されている技術では、一度端末装置で受信してから転送先に再度転送するため、ネットワーク上を移動するデジタルデータなどの所謂トラフィックが増加するという問題がある。
そこで、本発明はこのような点を鑑みてなされたものであり、トラフィックを低減させ、通信コストの低減を図ることができる画像形成装置を提供することを目的とする。
【課題を解決するための手段】
【０００４】
上記目的を達成するために、請求項１記載の発明は、ネットワーク機能を有する画像形成装置において、着呼要求に対して発呼元に転送先を指示し、発呼元から直接転送先に送信させるよう制御する制御手段を備えた画像形成装置を特徴とする。
請求項２記載の発明は、請求項１に記載の画像形成装置において、発呼元毎に転送先を設定する設定手段を備えたことを特徴とする。
請求項３記載の発明は、請求項１に記載の画像形成装置において、着呼宛先毎に転送先を設定する設定手段を備えたことを特徴とする。
請求項４記載の発明は、請求項１に記載の画像形成装置において、前記制御手段は、受信不可能な状態の時に代替受信先に転送指示する制御を行うことを特徴とする。
【発明の効果】
【０００５】
本発明によればネットワーク機能を有する画像形成装置において、着呼要求に対して発呼元に転送先を指示し、発呼元から直接転送先に送信させるよう制御する制御手段を備えたことによりトラフィックを低減させ、通信コストの低減を図ることができる。
【発明を実施するための最良の形態】
【０００６】
以下、本発明の実施の形態を図面に従って説明する。
図１は本発明の実施形態に係る画像形成装置の機能ブロック図である。本画像形成装置は、スキャナ１、制御部２、プロッタ３、操作表示部（設定手段）４、不揮発性メモリ５、メモリ６、ＤＣＲ（画情報圧縮再生部）７、ＣＣＵ（ファクシミリ通信制御部）８、ＬＡＮ制御部９を備える。これらのモジュールはシステムバス１０で接続されている。
不揮発性メモリ５は、転送先テーブルや画像などを記憶する。なお、不揮発性メモリ５の代わりにハードディクスなどを設けるようにしてもよい。ＬＡＮ制御部９は、ＴＣＰ／ＩＰ、ＳＭＴＰ、ＰＯＰ３、Ｈ．３２３、ＳＩＰなどの通信プロトコル制御を行う。また、ＭＩＭＥ形式のメールを作成する機能等も備えている。
図２は転送元毎の転送先テーブルのメモリマップ図、図３は着呼宛先毎の転送先テーブルのメモリマップ図である。
これら図２、図３に示すように、不揮発性メモリ５の転送先テーブルにおいては、発呼元と転送先のアドレス、及び着呼元と転送先のアドレスがそれぞれ対応付けて登録されている。
図４は転送する場合のＳＩＰプロトコルシーケンス図であり、この図を参照しながら本実施形態の画像処理装置の制御処理について説明する。
【０００７】
図５は本実施形態の画像形成装置における第１の制御処理を示したフロー図である。
この場合、先ず、ステップＳ５０１においてＩＮＶＩＴＥリクエストを受信する。次に、ステップＳ５０２においてＩＮＶＩＴＥリクエストのＦｒｏｍフィールドから発呼元を取得し、転送先テーブルに登録されているかどうか調べ、登録されていなければステップＳ５０３へ移行し、登録されていればステップＳ５０４へ移行する。
ステップＳ５０３においてはＩＮＶＩＴＥレスポンスとして［２００  ＯＫ］を返し、ＡＣＫリクエストを受信後、要求されたメディアセッションで画像を受信し処理を終了する。
一方、ステップＳ５０４においては、ＩＮＶＩＴＥレスポンスとして［３０２  Ｍｏｖｅｄ  Ｔｅｍｐｏｒａｒｉｌｙ］を返す。この時、Ｃｏｎｔａｃｔフィールドに転送先テーブルに登録されている転送先をセットする。ＡＣＫリクエストを受信後、処理を終了する。
図６は本実施形態の画像形成装置における第２の制御処理を示したフロー図である。
この場合、ステップＳ６０１においてＩＮＶＩＴＥリクエストを受信する。次に、ステップＳ６０２においてＩＮＶＩＴＥリクエストのＴｏフィールドから着呼宛先を取得し、転送先テーブルに登録されているかどうか調べ、登録されていなければステップＳ６０３へ移行し、登録されていればステップＳ６０４へ移行する。
ステップＳ６０３においてはＩＮＶＩＴＥレスポンスとして［２００  ＯＫ］を返し、ＡＣＫリクエストを受信後、要求されたメディアセッションで画像を受信し処理を終了する。
一方、ステップＳ６０４においては、ＩＮＶＩＴＥレスポンスとして［３０２  Ｍｏｖｅｄ  Ｔｅｍｐｏｒａｒｉｌｙ］を返す。この時、Ｃｏｎｔａｃｔフィールドに転送先テーブルに登録されている転送先をセットする。ＡＣＫリクエストを受信後、処理を終了する。
【０００８】
図７は本実施形態の画像形成装置における第３の制御処理を示したフロー図である。
この場合、ステップＳ７０１において、ＩＮＶＩＴＥリクエストを受信する。次に、ステップＳ７０２においてメモリフルやプロッタ故障などで受信可能状態であればステップＳ７０３へ移行し、受信不可能な状態であればステップＳ７０４へ移行する。
ステップＳ７０３においてＩＮＶＩＴＥレスポンスとして［２００  ＯＫ］を返し、ＡＣＫリクエストを受信後、要求されたメディアセッションで画像を受信して処理を終了する。
一方、ステップＳ７０４においては、ＩＮＶＩＴＥレスポンスとして［３０２  Ｍｏｖｅｄ  Ｔｅｍｐｏｒａｒｉｌｙ］を返す。この時、Ｃｏｎｔａｃｔフィールドに、不揮発メモリ５に登録されている受信不可時の転送先をセットする。ＡＣＫリクエストを受信後、処理を終了する。
このような本実施形態の画像形成装置によれば、今まで発呼元→端末、端末→転送先と２通信必要であったのに対して、発呼元→転送先と１通信で済むため、トラフィックが低減する。それにより通信コストが低減する。ＳＩＰではメディアセッション部分での転送プロトコルに制限はないため、転送先がＰＣなどの場合は、端末（画像形成装置）を経由することによる画像劣化が発生しなくて済む。例えば、端末がカラー画像をサポートしていなくても転送先であるＰＣでカラー画像を受け取ることが可能となる。
画像形成装置が受信不可の時に特別な装置なしで代替手段で受信することが可能となる。
【図面の簡単な説明】
【０００９】
【図１】本発明の実施形態に係る画像形成装置の機能ブロック図。
【図２】転送元毎の転送先テーブルのメモリマップ図。
【図３】着呼宛先毎の転送先テーブルのメモリマップ図。
【図４】転送する場合のＳＩＰプロトコルシーケンス図。
【図５】本発明の画像形成装置における第１の制御例を示すフロー図。
【図６】本発明の画像形成装置における第２の制御例を示すフロー図。
【図７】本発明の画像形成装置における第３の制御例を示すフロー図。
【符号の説明】
【００１０】
２  制御部（制御手段）、４  操作表示部（操作表示手段）
【図１】
2006229714.tif 000003
【図２】
2006229714.tif 000004
【図３】
2006229714.tif 000005
【図４】
2006229714.tif 000006
【図５】
2006229714.tif 000007
【図６】
2006229714.tif 000008
【図７】
2006229714.tif 000009